(57)【要約】【課題】  鏡筒に印加された静電気が誤動作の原因になる。【解決手段】  レンズ鏡筒にかかる力に抗するようにレンズ鏡筒を保持する保持部材と保持部材を一定の方向に付勢するための付勢部材と電気的に最も低い電位に導かれた構造部材とを備えるカメラにおいて、前記付勢部材は一端部で前記保持部材と係合しフック部にて前記構造部材とに当接するように構成した。【選択図】  図２５
2008197154.tif 000002
【特許請求の範囲】
【請求項１】
筐体より突出するレンズ鏡筒とレンズ鏡筒にかかる力に抗するようにレンズ鏡筒を保持する保持部材と保持部材を一定の方向に付勢するための付勢部材と電気的に最も低い電位に導かれた構造部材とを備えるカメラにおいて、前記付勢部材は一端部で前記保持部材と係合しフック部にて前記構造部材とに当接することを特徴とするカメラ。
【請求項２】
前記付勢部材は引張りばねで構成されていることを特徴とする請求項１のカメラ。
【発明の詳細な説明】
【技術分野】
【０００１】
本発明はレンズ鏡筒の構造に関するものである。より詳しくはレンズ鏡筒に印加される静電気による不具合がないようにする技術である。
【背景技術】
【０００２】
現在、各種の技術の進歩に伴って各種の機器が小型化・高性能化されている。その技術的な背景として、半導体の技術革新による演算素子（プロセッサー）の小型化・高機能化等を代表とする、電気・電子工学的な側面からの著しい進歩が挙げられる。
【０００３】
さらにカメラ等の小型携帯機器においては、例えばレンズ鏡筒等に代表される機器内部で複数の機構を駆動する技術が広く開示されている。これは電気・電子工学的な側面だけでなく、機械機構上の小型化技術が重要な役割となっているためである。
【０００４】
ここで、カメラ等の小型携帯機器においてはユーザーが持ち歩くことを前提としている。冬場などユーザーが特に静電気を発生させ易い季節においては、ユーザーが持ち歩いているときにカメラに不意に体に帯電した静電気を印加させてしまう。
【０００５】
近年の電気・電子工学的な発展により、カメラの内部に実装される電子部品は電気的に非常に繊細になっており、外的な静電気に強固な構造を必要とするようになった。
【０００６】
例えば、特許文献１では外カバーに対してＧＮＤをとる構成を開示している。
【０００７】
また、特許文献２では鏡筒を押さえる部材を付勢する部品にＧＮＤの機能を持たせる発明を開示している。
本出願人においても、特許文献３に、簡単な構成でレンズ鏡筒に静電気が印加された場合にでも、レンズ鏡筒や該レンズ鏡筒を搭載する光学機器が誤動作してしまうことを防止する技術を開示している。
【特許文献１】特開２００４−１２６２９９号公報
【特許文献２】特開２００６−１０６３７７号公報
【特許文献３】特開２００３−２１５４２５号公報
【発明の開示】
【発明が解決しようとする課題】
【０００８】
しかしながら、特許文献１では外カバーに対しての静電気の印加に対する技術であり、レンズ鏡筒に静電気が印加された場合の技術を開示するものではない。
【０００９】
また、特許文献２はレンズ鏡筒に掛かる静電気での誤動作を防止する技術であるが、アルマイト皮膜を剥がしたりという特殊作業が発生し、コストアップにつながってしまう。
【００１０】
また、本出願人の特許文献３においては、専用のばねを必要とするので、コストアップにつながってしまう。
【課題を解決するための手段】
【００１１】
そこで本願に係る技術思想のカメラでは、筐体より突出するレンズ鏡筒とレンズ鏡筒にかかる力に抗するようにレンズ鏡筒を保持する保持部材と保持部材を一定の方向に付勢するための付勢部材と電気的に最も低い電位に導かれた構造部材とを備えるカメラにおいて、前記付勢部材は一端部で前記保持部材と係合しフック部にて前記構造部材とに当接する構成とした。
【発明の効果】
【００１２】
第１の構成によって、特別な制御や機構を必要としない安価な構成とすることができ、コストダウンやスペース効率の向上に寄与することが可能となった。
【００１３】
第２の構成によって、付勢部材を簡単な引張りばねで構成できるため、コストアップがない構造が可能となった。
【発明を実施するための最良の形態】
【００１４】
（実施例１）
本発明を実施例を用いて説明する。
【００１５】
図１（ａ）は本発明の適用されるカメラの筐体であって、カメラの電源がＯＦＦされている時の図である。１はカメラの電源スイッチ、２はカメラ外装、３はユーザーが被写体を認識するための液晶表示装置であり、液晶表示装置３はヒンジ機構４に回転可能に保持されている。５はカメラの電源がＯＮ及びＯＦＦされることに従って、レンズ鏡筒を保護する位置（バリア閉じ位置：カメラ電源ＯＦＦ時）と開放する位置（バリア開き位置：カメラ電源ＯＮ時）に進退可能に取り付けられたバリアユニットである。バリアユニット５が進退する駆動方法の詳細については後述する。６は被写体を照射するストロボ装置、７はレリーズボタンである。
【００１６】
図１（ｂ）はカメラの電源ＯＮの状態を示す。８は撮影レンズを有するレンズ鏡筒ユニットであって、図１（ｂ）においてはカメラの電源がＯＮされることによって、バリアユニット５が閉じ位置から開き位置に退避し、レンズ鏡筒ユニット８が繰り出すことによってカメラ外装２より突出している。
【００１７】
液晶表示装置３・ヒンジ機構４・ストロボ装置６等は公知の技術であるため詳しい説明は省略し、本実施例の説明においては、本発明の特徴的な技術であるバリアユニット５・レンズ鏡筒ユニット８等について説明する。なお、本発明は上記の構成のみに限定されるものではない。
【００１８】
図２（ａ）は説明容易なように、図１（ｂ）からカメラ外装２等を不図示にし、本発明の構成要素を示した図である。バリアユニット５・レンズ鏡筒ユニット８・メインシャーシａ１２０及び構造部材としてのメインシャーシ１２１が図示されている。
【００１９】
図２（ｂ）はさらに説明容易なように。図２（ａ）をユニットごとの展開斜視図にした図である。バリアユニット５、レンズ鏡筒ユニット８と共に詳細を後述する駆動ユニット１０が図示おり、レンズ鏡筒ユニット８はメインシャーシ１２０に、そしてバリアユニット５はメインシャーシｂ１２１に取り付けられている。メインシャーシａ１２０とメインシャーシｂはビス止めされている。
【００２０】
本発明の特徴はレンズ鏡筒ユニットに静電気が印加された時の電気的なグランドをとる構造にあるが、まず始めにバリアユニット５、レンズ鏡筒ユニット８及び駆動ユニット１０の制御と機構を、各々のユニットの駆動について詳細に説明する。はじめにバリアユニット５について説明をする。
【００２１】
バリアユニット５について図３・図４・図５を用いて説明する。
【００２２】
バリアユニット５は、裏面をバリアユニット５として構成するカメラ外装２と、電源ＯＮ・ＯＦＦに従って進退するバリア部材５１とを有する。また、バリアユニット５を構成する部品を保持する保持部材５２、後述する駆動ユニット１０の連結ギア１０７と噛み合うギアを有するバリア駆動ギア５３を有する。また、バリア駆動ギア５３と保持部材５２に保持され、バリア駆動ギア５３を保持部材５２に対して２方向に付勢するバリアトグルばね５４を有する。また、バリア駆動ギア５３に備えられる駆動ピン５３ａにより回転駆動されるバリア駆動レバー５５、バリア駆動レバー５５をバリア駆動ギア５３に対して付勢するバリア付勢ばね５６を有する。そしてバリア駆動ギア５３・バリアトグルばね５４・バリア駆動レバー５５・バリア付勢ばね５６を保持部材５２に対して覆うカバー部材５７より構成される。
【００２３】
次にバリアユニット５の駆動方法について図４を用いて説明する。なお、図４（ａ）はバリアユニット５の正面図であり、図４（ｂ）は背面図である。図４（ａ）及び図４（ｂ）の両者は共にバリアユニット閉じ（カメラの電源ＯＦＦ）状態の図である。
【００２４】
バリア部材５１は不図示のカメラ外装２の裏面に備えられる直線規制部と勘合する勘合部５１ａとバリア駆動レバー５５と当接する駆動ピン部５１ｂを有する。バリア駆動レバー５５はバリア部材の駆動ピン部５１ｂと当接する駆動部５５ａとバリア駆動ギア５３の駆動ピン部５３ａと当接する５５ｂを有する。バリア駆動ギア５３は前述の駆動ピン部５３ａとバリアトグルばね５４の一端を保持する保持部５３ｂ、さらに後述する駆動ユニット１０の連結ギア１０７と噛み合うギア部５３ｃを備える。バリア付勢ばね５６は図４（ａ）において、バリア駆動ギア５３とバリア駆動レバー５５とを互いに近づけるように付勢されている。バリアトグルばね５４は一端部５４ａはバリア駆動ギア５３の保持部５３ｂに保持され、さらに他端５４ｂは図３における保持部材５２ａ部に保持されている。バリアトグルばね５４の機能については後述する。
【００２５】
また、バリア駆動ギア５３とバリア駆動レバー５５は図３に示される保持部材５２の軸５２ｂを中心に回転可能支持されている。
【００２６】
バリアユニット５の駆動について説明する。始めにバリア開き動作について説明する。
〔１〕図４（ａ）において、後述する駆動ユニット１０の連結ギア１０７に噛み合うバリア駆動ギア５３のギア部５３ｃにバリア駆動ギア５３が時計回りに回転するような力を与えられる。その結果、バリア駆動ギア５３は保持部材５２に備えられる５２ｂを回転中心として時計回りに回転する。
〔２〕図５（ａ）に示されるように、バリア駆動ギア５３が時計回りに回転すると、バリアトグルばね５４をチャージしながら、バリア駆動ギア５３の５３ａがバリア駆動レバー５５の当接部５５ｂに当接させる。この当接により、バリア駆動ギア５３とバリア駆動レバー５５は図中Ａ方向に回転する。この時、バリアトグルばね５４はＢ方向に回転する。バリア駆動レバー５５の当接部５５ａとバリア部材５１の駆動ピン部５１ｂが当接する。バリア部材５１はカメラ外装２と直進規制部５１ａによって直進規制されているためである。この当接により、バリア駆動ギア５３が回転することによって、バリア部材５１はカム作用により図中Ｃ方向に駆動される。
〔３〕さらにバリア駆動ギア５３が図中Ａ方向に回転し、所定の回転角度に達すると駆動を停止して、図５（ｂ）の停止位置（電源ＯＮ位置）に停止する。図５（ｂ）の位置において、バリアトグルばね５４はバリア駆動ギア５３をＡ方向に回転させるように力をかけている。このため、バリア駆動ギア５３がガタつくことがなく、その結果、バリア部材５１がガタつくことはない。
【００２７】
上記に示される駆動により、バリア部材５１を閉じ位置（電源ＯＦＦ状態）から開き位置（電源ＯＮ状態）に駆動することが可能となる。
【００２８】
次にバリアユニット閉じ駆動について説明する。
〔４〕図５（ｂ）のバリア開き位置から、バリア駆動ギア５３をバリア開き方向とは逆方向である図５（ａ）の反Ａ方向に回転させる。その時、バリアトグルばね５４は反Ｂ方向に回転する。バリア駆動ギア５３が反Ａ方向に回転することによって、バリア駆動レバー５５の当接部５５ａを当接させてバリア部材５１を反Ｃ方向に駆動する。
〔５〕バリア駆動ギア５３が所定の回転角度を回転し、バリア部材５１が保持部材５２に備えられる停止位置５２ｃに当接するとバリア部材５１の閉じ駆動が終了する。
〔６〕バリア駆動ギア５３はさらに回転し（オーバーチャージ）、所定の回転角度にて図４（ａ）の位置にて停止する。この時、オーバーチャージ分の回転角度があるため、カメラの電源ＯＦＦ状態では、図４（ａ）のようにバリア駆動ギア５３の駆動ピン部５３ａとバリア駆動レバー５５の当接部５５ｂが離れている。この時、バリアトグルばね５４はバリア駆動ギア５３を反Ａ方向に不勢している。この作用により、バリア駆動ギア５３がガタつくことはない。
【００２９】
以上のようにしてバリア部材５１をカメラの電源ＯＮ・ＯＦＦに従って駆動させることが可能となる。バリア駆動ギア５３は駆動ユニット１０の連結ギア１０７に噛み合っているため、バリア部材５１の駆動は駆動ユニット１０に従って行われる。なお、詳細な駆動制御については駆動ユニット１０等と共に後述する。
【００３０】
次にレンズ鏡筒ユニット８について図６（ａ）及び図６（ｂ）を用いて説明する。なお、レンズ鏡筒ユニット８については、本発明に関する技術のみを説明する。
【００３１】
図６（ａ）において、レンズ鏡筒ユニット８はレンズ鏡筒ユニット８を覆うように保持する前側レンズ鏡筒保持部材８１及び後側レンズ鏡筒保持部材８２、不図示のプリント基板に実装され前側レンズ鏡筒保持部材８１に取り付けられるレンズ鏡筒位置検出素子８３ａ及び８３ｂ、レンズ鏡筒駆動モーター８４ａ、撮影レンズを保護しレンズ鏡筒ユニット８の外観面を構成するレンズ鏡筒カバー８５を有する。レンズ鏡筒位置検出素子８３ａ及び８３ｂは本実施例においてはＬＥＤの光を投光・遮光することによって信号を得るフォトインターラプターである。ここでレンズ鏡筒カバー８５は図１（ｂ）に明らかなようにカメラの電源ＯＮ時にカメラの外装より突出する。カバーが突出していると、ユーザーがカメラを持った時などにユーザーに帯電した静電気がレンズ鏡筒に印加される。この時にスムーズに電気が流れるようにレンズ鏡筒カバー８５は導電カーボンを含有した材料にて加工されている。
【００３２】
さらに図６（ａ）を説明容易なように、前側レンズ鏡筒保持部材８１、後側レンズ鏡筒保持部材８２及びレンズ鏡筒カバー８５を不図示にした図を図６（ｂ）に示す。
【００３３】
８４ｂはレンズ鏡筒駆動モーター８４ａの先端に取り付けられ、レンズ鏡筒駆動モーター８４ａと出力軸を同軸とする遊星減速ギア列である。
【００３４】
８６は撮影レンズ、８７は撮影レンズを保持し、レンズ鏡筒駆動モーター８４ａにより駆動されるレンズ鏡筒筒部材である。８８は遊星減速ギア列８４ｂの先端に取り付けられており、外周部にねじがきられている繰り出しねじである。８９は繰り出しねじ８８と噛み合っておりレンズ鏡筒筒部材８７に取り付けられる繰り出しナットである。９０ａ及び９０ｂは前端を前側レンズ鏡筒保持部材８１・後端を後側レンズ鏡筒保持部材８２に保持固定されているガイド軸である。ガイド軸９０ａはレンズ鏡筒筒部材８７の位置決め穴８７ａに勘合し、ガイド軸９０ｂはレンズ鏡筒筒部材８７の振れ止め形状８７ｂに勘合する。位置決め穴８７ａと振れ止め形状８７ｂ及びガイド軸９０ａと９０ｂの規制作用によって、レンズ鏡筒筒部材８７は光軸方向に対して回転規制され、光軸方向にのみ進退することができる。また、レンズ鏡筒筒部材８７には前述のレンズ鏡筒位置検出素子８３ａ及び８３ｂをレンズ鏡筒筒部材８７の動きに連動して遮光する遮光部８７ｃを備えている。さらにレンズ鏡筒筒部材８７はレンズ鏡筒カバー８５を取り付けるため外周部にバヨネット機構８７ｄを備えている。バヨネット機構については公知の技術のため詳しい説明は省略する。また、レンズ鏡筒筒部材８７はレンズ鏡筒カバーと同様に導電カーボンを含有した材料で加工されている。
【００３５】
次にレンズ鏡筒ユニット８の駆動について図７を用いて説明する。図７（ａ）はレンズ鏡筒ユニット８の沈胴状態（カメラ電源ＯＦＦ）の図であり、図７（ｂ）はレンズ鏡筒ユニット８の繰り出し状態（カメラ電源ＯＮ）の図である。
【００３６】
カメラの電源がＯＮされるとレンズ鏡筒ユニット８を繰り出すようにレンズ鏡筒駆動モーター８４ａに通電する。レンズ鏡筒駆動モーター８４ａが回転すると同一軸に構成された遊星減速ギア列８４ｂが回転する。遊星減速ギア列８４ｂの先端には繰り出しねじ８８が取り付けられているため、繰り出しねじ８８が回転する。
【００３７】
一方、レンズ鏡筒筒部材８７には繰り出しねじ８８と噛み合う繰り出しナット８９が取り付けられており、さらにレンズ鏡筒筒部材８７はガイド軸９０ａ及びガイド軸９０ｂによって回転規制されている。
【００３８】
レンズ鏡筒駆動モーター８４ａが回転することによって、繰り出しねじ８８と繰り出しナット８９の作用及びレンズ鏡筒筒部材８７がガイド軸９０ａ及びガイド軸９０ｂによって回転規制されている。このことから、レンズ鏡筒ユニット８は光軸方向に繰り出すことが可能となり、所定の位置で停止させることによって図７（ｂ）に示されるようにレンズ鏡筒ユニット８を撮影待機状態とすることが可能となる。
【００３９】
また一方、カメラの電源ＯＦＦ時にはレンズ鏡筒ユニット８を繰り込む。レンズ鏡筒ユニット８の繰り込みは前述したレンズ鏡筒ユニット８の繰り出し方向とは反対の方向にレンズ鏡筒駆動モーター８４ａを回転させる。レンズ鏡筒ユニット８は繰り出しねじ８８と繰り出しナット８９の作用及びレンズ鏡筒筒部材８７がガイド軸９０ａ及びガイド軸９０ｂによって回転規制されている。このことから所定の位置に繰り込むことが可能となり、カメラ電源ＯＦＦ時動作として沈胴位置へ繰り込むことが可能となる。
【００４０】
ここで、レンズ鏡筒ユニット８の制御について図７と図２２を用いて説明する。レンズ鏡筒ユニット８は沈胴状態では図７（ａ）の位置で停止している。この時、レンズ鏡筒位置検出素子８３ａと８３ｂの出力はレンズ鏡筒筒部材８７の遮光部８７ｃが８３ａを覆わず、８３ｂを覆う位置であるため、図１５の（８）に示される出力となる。（本実施例において、「レンズ鏡筒位置検出素子（フォトインターラプター）が遮光されている時をＬｏｗ、遮光されていないときをＨｉｇｈとする」）。
【００４１】
その後、カメラの電源がＯＮされると、図７（ａ）から図７（ｂ）へ光軸方向へ繰り出すに従って、レンズ鏡筒位置検出素子８３ａと８３ｂの出力が図２２に示されるように変化する。図２２の（１１）の状態（レンズ鏡筒位置検出素子８３ａと８３ｂ共にＨｉｇｈ）に成った時、カメラは停止動作を行い、撮影待機状態（１２）となる。
【００４２】
カメラの電源ＯＦＦ動作は電源ＯＮ動作とは反対にレンズ鏡筒駆動モーター８４ａを通電する。レンズ鏡筒位置検出素子８３ａと８３ｂは図１５の（１２）の信号状態から（８）への状態に変化する。図２２の（９）の状態（２）なると、カメラは停止制御を行い電源ＯＦＦ状態（図７（ａ））となる。つまり、レンズ鏡筒位置検出素子８３ａ及び８３ｂの組み合わせによりスムーズな電源ＯＮ・ＯＦＦ動作が可能となる。
【００４３】
次に駆動ユニット１０について説明する。図８（ａ）は駆動ユニット１０の全体図であり、１０１は金属材料をプレス加工して成形されるレンズ鏡筒受け部材、１０２は駆動ユニット保持部材、１０３は駆動ユニットモーターである。
【００４４】
レンズ鏡筒受け部材１０１は駆動ユニット保持部材１０２に設けられている回転規制ピン１０２ａによって、上下方向にのみ進退可能に支持されている。
【００４５】
説明容易なように、図８（ｂ）に図８（ａ）の展開斜視図を示す。
【００４６】
１０４はレンズ鏡筒受け部材１０１と駆動ユニット保持部材１０２に取り付けられる駆動ユニット引張りばねである。部材１０１は、常にレンズ鏡筒受け部材１０１を駆動ユニット保持部材１０２に抗するように一定の方向に付勢している。付勢部材としての駆動ユニット引張りばね１０４は金属材料にて加工されている。１０５は駆動ユニットモーター１０３の出力軸と同一軸に出力軸を備える遊星減速ギア列、１０６は遊星減速ギア列１０５の出力ギアに噛み合う連結ギア、１０７は連結ギア１０６に噛み合う連結ギアである。連結ギア１０７は連結ギア１０６と噛み合うと共にレンズ鏡筒受け部材１０１及び前述したバリアユニット５を駆動する。駆動の詳細については後述する。
【００４７】
１０８ａ及び１０８ｂは不図示のフレキシブルプリント基板に実装された連結ギア１０６の回転位相を検出するための駆動ユニット検出素子である。１０８ａ及び１０８ｂは本実施例においてはＬＥＤの光を投光・受光することによって信号を出力することのできるフォトリフレクターである。
【００４８】
ここで、連結ギア１０６と駆動ユニット検出素子１０８ａ及びｂの関係を図８（ｃ）を用いて説明する。
【００４９】
連結ギア１０６には駆動ユニット検出素子１０８ａ及び１０８ｂと対向する面に反射板１０６ｃが取り付けられている。駆動ユニット検出素子１０８ａ及びｂは反射板１０６ｃにＬＥＤ光を投光し、その反射光を受光する。
【００５０】
反射板１０６ｃは銀色等の高反射率の部材に例えば図中斜線部を黒色の印刷をすること等で反射率を異ならせる。図８（ｃ）においては、白色が高反射率部で斜線部が低反射率部である。このため、連結ギア１０６が回転すると駆動ユニット検出素子１０８ａ及び１０８ｂの対向する面の反射率が回転位相によって異なるため、信号の出力が回転位相によって変化する。図８（ｃ）において、駆動ユニット検出素子１０８ａ及びｂの高反射率部での出力をＨｉｇｈ、低反射率部（黒色）での出力をＬｏｗとすると、駆動ユニット検出素子１０８ａ及びｂから伸びた一点破線の先は斜線部である。このため、駆動ユニット検出素子１０８ａ及びｂはどちらもＬｏｗ信号を出力する。
【００５１】
詳細な説明は後述するが、駆動ユニットモーター１０３が回転するに従って連結ギア１０６が回転するため、駆動ユニット検出素子１０８ａ及びｂの信号は、電源ＯＮから電源ＯＦＦに従って図２１のように出力信号を切り替わる。以上によってカメラは連結ギア１０６の回転位相を検出することができる。
【００５２】
連結ギア１０６は連結ギア１０７等と連結されているため、連結ギア１０６の位相を検出することによって、カメラは駆動ユニット１０の位相を検出することが可能となる。
【００５３】
なお、図８（ｂ）において、検出素子１０８は図示容易なように駆動ユニット保持部材１０２の前に図示しているが、駆動ユニット組み立て状態においては駆動ユニット保持部材１０２の裏側に取り付けられている。
【００５４】
１０９は遊星減速ギア列１０５、連結ギア１０６、連結ギア１０７を駆動ユニット保持部材１０２に保持する駆動ユニットカバーである。
【００５５】
ここでレンズ鏡筒受け部材１０１の機能について説明をする。
【００５６】
カメラの電源がＯＮされるとレンズ鏡筒ユニット８が繰り出されるが、カメラの電源ＯＮの状態でユーザーは様々な状況下での撮影を行う。撮影中に起こる問題として、例えばユーザーが意図せずカメラを落としてしうことがある。そうした状況後であっても、カメラは正常に機能しなくてはならない。落下後に正常動作させるための技術的な解決策は、従来から公知のように様々な解決策があるが、その中の一つとしてレンズ鏡筒ユニットが落下時に受ける外力に対して強固な構成であることが挙げられる。
【００５７】
本実施例においては、前述したようにレンズ鏡筒ユニット８は繰り出しねじ８８及び繰り出しナット８９の作用を用いてレンズ鏡筒ユニット８の繰り出し及び繰り込みを行っている。ここで、レンズ鏡筒ユニット８のみで外力を受けると仮定すると、本実施例では繰り出しねじ８８と繰り出しナット８９のねじ結合でのみレンズ鏡筒ユニット８にかかる外力を受けることとなり、非常に脆弱な構造となる。
【００５８】
そこで、対策として本発明ではレンズ鏡筒ユニット８に掛かる外力に対して強固な構造とするために、繰り出しねじ８８及び繰り出しナット８９以外でレンズ鏡筒筒部材１０７を支える構造とする。この対策部材がレンズ鏡筒受け部材１０１である。レンズ鏡筒受け部材１０１をカメラの電源ＯＮ及びＯＦＦに従って、レンズ鏡筒筒部材８７の後方に進退するようにする。この構成により、カメラの電源ＯＮ時にはレンズ鏡筒受け部材１０１がレンズ鏡筒筒部材８７の後方で外力を支える構成をとり、不意の落下等に対処をする。また、電源ＯＦＦ時にはレンズ鏡筒筒部材８７の移動軌跡外に退避することによって、レンズ鏡筒ユニット８がスムーズに沈胴できるようにする。
【００５９】
この構成について、図９を用いて説明する。
【００６０】
図９（ａ）及び図９（ｂ）はカメラの電源ＯＦＦの状態の図であり、図９（ａ）は正面図、図９（ｂ）は側面図である。なお説明容易なように、撮影レンズ８６、レンズ鏡筒筒部材８７及びレンズ鏡筒受け部材１０１について図示する。
【００６１】
カメラの電源ＯＦＦ時において、撮影レンズ８６及びレンズ鏡筒筒部材８７は図９（ａ）に示されるように、駆動してもレンズ鏡筒受け部材１０１と干渉しないように隙間をもっている。このため、前述したように、レンズ鏡筒ユニット８が光軸方向に進退してもレンズ鏡筒受け部材１０１に干渉することがない。
【００６２】
このように構成された撮影レンズ８６及びレンズ鏡筒筒部材８７とレンズ鏡筒受け部材１０１において、レンズ鏡筒ユニット８の駆動が終了した後に、レンズ鏡筒受け部材１０１をＤ方向に駆動させる。駆動後の図を図９（ｃ）及び図９（ｄ）に示す。
【００６３】
図９（ａ）及び（ｂ）において、レンズ鏡筒受け部材１０１の１０１ａ部がレンズ鏡筒筒部材８７の後端面に掛かるように構成されている。レンズ鏡筒受け部材１０１がＤ方向に駆動された後には、図９（ｃ）及び図９（ｄ）において、Ｆで示されている破線で囲まれた領域がレンズ鏡筒筒部材８７の後方に係合した領域である。
【００６４】
図９（ｃ）に顕著なように、領域Ｆをレンズ鏡筒ユニット８の４隅に配置する構成によって、レンズ鏡筒ユニット８に外力が掛かった時であっても１点に荷重が集中することがない。よってバランスよく、カメラの姿勢等の影響を受けずに外力に対して強固な構成とすることができる。
【００６５】
以上のようにして、レンズ鏡筒受け部材１０１を進退させることによって、カメラの電源ＯＮ時にレンズ鏡筒ユニット８に掛かる外力に対して強固な構造とすることができる。
【００６６】
また、レンズ鏡筒受け部材１０１は金属製の材料でできているため、レンズ鏡筒筒部材８７と電気的に同電位にすることができる。さらに、駆動ユニット引張りばね１０４が金属材料にて加工されている結果、駆動ユニット引張りばね１０４もレンズ鏡筒筒部材８７と同電位とすることができる。
【００６７】
以上の説明で自明なように、カメラの電源ＯＮ・ＯＦＦに従ってレンズ鏡筒ユニット８を繰り出し・繰り込みする前には、レンズ鏡筒筒部材８７とレンズ鏡筒受け部材１０１の駆動時の干渉を避けるために、レンズ鏡筒受け部材１０１を必ず進退させる必要がある。そして確実にレンズ鏡筒受け部材１０１を動作端に駆動する必要がある。
【００６８】
次に駆動ユニット１０の駆動機構について図１０を用いて説明する。図１０にレンズ鏡筒受け部材１０１、駆動ユニットモーター１０３、遊星減速ギア列１０５、連結ギア１０６及び連結ギア１０７を示す。
【００６９】
駆動ユニットモーター１０３の出力は同軸上に配置された遊星減速ギア列１０５の最終ギア１０５ａから連結ギア１０６のギア部１０６ａに伝達される。連結ギア１０６が回転すると連結ギア１０６のギア部１０６ｂから連結ギア１０７のギア部１０７ａに伝達される。なお、連結ギア１０７のギア部１０７ｂは前述したバリアユニット５のバリア駆動ギア５３のギア部５３ｃと噛み合うギアであり、１０７ｃはレンズ鏡筒受け部材１０１のギア連結部１０１ｂと噛み合う。１０７ｂ及び１０７ｃの機構については後述する。
【００７０】
カメラの電源ＯＮ時には、駆動ユニットモーター１０３が回転する。駆動ユニットモーター１０３の回転に従って、連結ギア１０６及び連結ギア１０７が回転する（カメラの電源ＯＮの時には図中Ｇ方向に連結ギア１０７は回転する）。連結ギア１０７のギア部１０７ｃがレンズ鏡筒受け部材１０１のギア連結部１０１ｂに連結されると、連結ギア１０７がレンズ鏡筒受け部材１０１を駆動する。図１１に示されるように、駆動ユニットモーター１０３が連結ギア１０７をＧ方向に回転させると、レンズ鏡筒受け部材１０１は上下方向にのみ進退可能であるから、図中Ｈ方向に駆動される。つまり、カメラの電源ＯＮ時に駆動ユニットモーター１０３を駆動することによって、レンズ鏡筒受け部材１０１をレンズ鏡筒筒部材８７の後方に係合させることができる。
【００７１】
一方、カメラの電源ＯＦＦ時には、駆動ユニットモーター１０３は連結ギア１０７を反Ｇ方向に回転させる。この動作に従って、レンズ鏡筒受け部材レンズ鏡筒受け部材１０１は反Ｈ方向に駆動される。さらに前述したように、レンズ鏡筒受け部材１０１は駆動ユニット保持部材１０２に対して駆動ユニット引張りばね１０４で引っ張られているために、駆動ユニット引張りばね１０４のばね力と併せて反Ｈ方向に駆動される。このようにして、カメラの電源ＯＦＦ時に駆動ユニットモーター１０３を駆動することによって、レンズ鏡筒受け部材１０１をレンズ鏡筒筒部材８７の後方から退避させることが可能となる。
【００７２】
本発明のバリアユニット５、レンズ鏡筒ユニット８及び駆動ユニット１０は以上説明したようにして各々駆動される。カメラ状態ではバリアユニット５、レンズ鏡筒ユニット８及び駆動ユニット１０が図２（ａ）の状態に組み立てられる。
【００７３】
バリアユニット５、レンズ鏡筒ユニット８及び駆動ユニット１０が組み立てられたカメラでの駆動機構について説明する。
【００７４】
図２０は本発明が適用されるカメラの本発明に関する技術のブロック図である。
【００７５】
中央演算素子１１０は、電源スイッチ１から入力されるとカメラの電源をＯＮ・ＯＦＦする。また、レンズ鏡筒ユニット８に取り付けられているレンズ鏡筒ユニット検出素子８３や駆動ユニット１０に取り付けられている駆動ユニット検出素子１０８から信号を取得し、レンズ鏡筒ユニット８の状態検出や、駆動ユニット１０の状態を検出する。中央演算素子１１０はカメラの状況に応じてレンズ鏡筒ユニットモーター８４ａや駆動ユニットモーター１０３を駆動制御する。中央演算素子１１０はさらにカメラの各種の制御を行うが、本発明では説明を省略する。
【００７６】
図１２にカメラの電源ＯＦＦ時の、バリアユニット５のバリア駆動ギア５３と駆動ユニット１０のレンズ鏡筒受け部材１０１、連結ギア１０６及び連結ギア１０７との関係について示す。なお、図１２（ａ）は正面図であり、図１２（ｂ）は背面図である。
【００７７】
前述したようにバリアユニット５はバリア駆動ギア５３を回転させることによって、バリア部材５１を進退させることができる。カメラでの組み立て状態では図１２（ｂ）に顕著なように、連結ギア１０７のギア部１０７ｂとバリア駆動ギア５３のギア部５３ｃが噛み合っている。このため、駆動ユニットモーター１０３に通電をし連結ギア１０７が回転するとバリア駆動ギア５３が回転する。
【００７８】
さらに、バリア駆動ギア５３と連結ギア１０６はギア連動しているため、連結ギア１０６の回転位相を検出することでバリア駆動ギア５３の検出することが可能となる。前述したように連結ギア１０６には反射板１０６ｃが取り付けられており、駆動ユニット検出素子１０８ａと１０８ｂによって位相検出が可能であるため、バリア駆動ギア５３の位相を検出することが可能となる。
【００７９】
つまり、カメラの中央演算素子１１０は連結ギア１０６の回転位相を検出することで、バリアユニット５及び駆動ユニット１０を制御することが可能となる。
【００８０】
カメラの電源ＯＮ時の動作について図を用いて説明する。図２３はカメラ電源ＯＮ時のフローチャートであり、図２１は駆動ユニット検出素子１０８ａ及び１０８ｂの信号出力の関係図、図２２はレンズ鏡筒位置検出素子８３ａ及び８３ｂの信号出力の関係図である。
【００８１】
カメラ電源ＯＮの動作をフローチャート図２３に従って説明する。
Ｓ１：カメラの電源ＳＷ１が押されて電源がＯＮされたかどうかを判断する。電源がＯＮされれば＃２へと進む。
Ｓ２：レンズ鏡筒位置検出素子８３ａ及び８３ｂからの信号を検出する。
Ｓ３：駆動ユニット検出素子１０８ａ及び１０８ｂからの信号を検出する。
Ｓ４：＃２及び＃３にて検出した信号により、バリアユニット５、レンズ鏡筒ユニット８、駆動ユニット１０が電源ＯＦＦ状態の状態であることを判定する。具体的には、駆動ユニット検出素子１０８ａ及びｂの信号が、図２１の状態（１）であることを判定する。判定がＹｅｓであれば＃６に進み、Ｎｏであれば＃５へ進む。
Ｓ５：＃４にてＮｏと判定される状況は、エラー判定とし、カメラの再起動を行う。
Ｓ６：判定結果によりカメラの電源ＯＮの動作を正常に行うことができる。バリアユニット５を閉じ位置から開き位置方向に駆動するため、駆動ユニットモーター１０３に通電を行う。連結ギア１０７が回転することによってバリア駆動ギア５３が回転しバリアユニット５は開き動作を開始する。
Ｓ７：駆動ユニットモーター１０３に通電後に連結ギア１０６が回転し、駆動ユニット検出素子１０８ａが、図２１状態（２）を検出したかを判定する。図１３（ａ）及び図１３（ｂ）に、図２１状態（２）のバリア駆動ギア５３、連結ギア１０６、連結ギア１０７、レンズ鏡筒受け部材１０１の関係を示す。各ギアの回転方向は矢印方向である。図１３（ａ）は正面図、図１３（ｂ）は背面図である。判定がＹｅｓであれば＃９へ、Ｎｏであれば＃８へ進む。
Ｓ８：図１４の信号が検出できていないため、バリアユニット５に外力が掛かって動作していないと判定し、エラーを出す。
Ｓ９：＃７にて正常に信号が検出されているため、さらにバリアユニット５を駆動する。図１４（ａ）及び（ｂ）に図２１（３）の状態を示す。図２１状態（３）は、連結ギア１０７のギア部１０７ｂがバリア駆動ギア５３のギア部５３ｃから離れた位置である。カメラは連結ギア１０７を引き続き回転させるが、バリア駆動ギア５３は連結ギア１０７から回転力を得ることができない。しかし、前述のようにバリア駆動ギア５３は、バリアトグルばね５４に付勢されているためバリアトグルばね５４の付勢力から回転力を得て、図中の方向に回転することができる。なお、図１４（ａ）は正面図、図１４（ｂ）は背面図である。
Ｓ１０：駆動ユニットモーター１０３を回転し連結ギア１０７をさらに回転させる。駆動ユニット検出素子１０８ｂの信号が図２１の状態（４）に切り変わったかを検出する。Ｙｅｓであれば＃１１へ、Ｎｏであれば＃９へ進む。
Ｓ１１：＃１０にて図２１状態（４）へ信号が切り替わった時に、中央演算素子１１０は駆動ユニットモーター１０３への通電を停止し、バリアユニット５を停止させる。この時の機構図を図１５（ａ）及び図１５（ｂ）に示す。
【００８２】
図１５（ａ）に明確なように、連結ギア１０７のレンズ鏡筒受け部材１０１の駆動ギア部１０７ｃとレンズ鏡筒受け部材１０１の被駆動部１０１ｂは隙間を持っている。さらに、図１５（ｂ）において、前述したように連結ギア１０７のギア部１０７ｂとバリア駆動ギア５３のギア部５３ｃのギアは離れている。つまり、図２１状態（４）では、連結ギア１０７はどちらにも係合していない。ここでバリアユニット５はバリアトグルばね５４に付勢されて回転力を得ているため、図示の位置から回転することはない。
【００８３】
図２１状態（４）の信号を検出すると、駆動ユニットモーター１０３の通電をＯＦＦするが、一般的な駆動機構はモーターの慣性やギア列の慣性等でオーバーランしてしまう。オーバーランは所定の位置に駆動機構が停止しないため不具合が生じることがある。
【００８４】
しかし、本発明ではオーバーラン時に駆動機構に影響がないように、駆動ギア部１０７ｃとレンズ鏡筒受け部材１０１の被駆動部１０１ｂの間にレンズ鏡筒受け部材不感帯部１１１を設ける。
【００８５】
レンズ鏡筒受け部材不感帯部１１１を説明するため、図１６に連結ギア１０７のギア部１０７ｃとレンズ鏡筒受け部材１０１の被駆動部１０１ｂの拡大図を示す。
【００８６】
図２１状態（４）の信号切り替わり位置から、連結ギア１０７のギア部１０７ｃがレンズ鏡筒受け部材１０１の被駆動部と当接する位置（斜線で囲まれているギア形状位置）に回転するまで、連結ギア１０７はレンズ鏡筒受け部材１０１を駆動することがない。つまり、図中示される連結部材１０７の回転角度αがレンズ鏡筒受け部材１０１が駆動されない角度領域であって、不感帯部となる。このような構成にすることによって、図２１状態（４）で停止制御開始からオーバーランがあったとしても、レンズ鏡筒受け部材１０１を駆動することが無い。
【００８７】
前述したように本実施例のカメラではバリアユニット５を駆動した後にレンズ鏡筒ユニット８の繰り出しを行う。このためレンズ鏡筒受け部材１０１がレンズ鏡筒ユニット８の駆動前に動作してしまうと、レンズ鏡筒ユニット８を繰り出すことができなくなる。
【００８８】
しかしながら、駆動ユニット１０がバリアユニット５の駆動を終えた後にオーバーランがあったとしても、レンズ鏡筒受け部材不感帯部１１１を設けているので、レンズ鏡筒受け部材１０１を動作させない。したがって、カメラの次の駆動（レンズ鏡筒ユニット１０駆動）の駆動に影響を与えない。つまり如何なる条件下であっても、カメラを正常に動作させることが可能となる。
Ｓ１２：＃１１においてバリアユニット５の開き駆動が完了するとレンズ鏡筒ユニット８を繰り出すようにレンズ鏡筒駆動モーター８４ａに通電する。
Ｓ１３：図２２に示されるように、レンズ鏡筒位置検出素子８３ａの信号が切り替り、レンズ鏡筒位置検出素子８３ａ及び８３ｂが図２２（１１）の信号になったかどうかを判定する。Ｙｅｓであれば撮影位置までの繰り出しが完了したと判定し＃１３へ進み、Ｎｏであればさらに通電をする。
Ｓ１４：レンズ鏡筒ユニット８が撮影位置まで達したため、レンズ鏡筒ユニット８の繰り出しを停止する。
Ｓ１５：レンズ鏡筒ユニット８の駆動が完了したため、次の動作としてレンズ鏡筒受け部材１０１の駆動をするように再び駆動ユニットモーター１０３に通電をする。この時、連結ギア１０７の停止位置は図１５に示される位置で前述のレンズ鏡筒受け部材不感帯部１１１に停止しており、図２１においては（４）〜（５）の間の斜線の領域（１１１）に停止している。
【００８９】
その後、連結ギア１０７が回転することによって、連結ギア１０７のギア部１０７ｃがレンズ鏡筒受け部材１０１の被駆動部１０１ｂと接触する（５）の状態からレンズ鏡筒受け部材１０１の駆動が開始される。図２１状態（５）を図１８に示す。図１８（ａ）は正面図、図１８（ｂ）は背面図である。
Ｓ１６：駆動ユニット検出素子１０８ａの信号が図２１状態（６）に切り替わったかを判定する。Ｙｅｓであれば＃１７へ、Ｎｏであれば＃１５へ進む。
Ｓ１７：駆動ユニット検出素子１０８ａの信号が切り替われば、レンズ鏡筒受け部材１０１の駆動を停止制御する。最終的に、図２１の（７）の状態にて撮影待機状態となる。この時、レンズ鏡筒受け部材１０１は図９（ｄ）に示されるように、レンズ鏡筒筒部材１０７の後方に十分に係合しており、レンズ鏡筒ユニット８へ掛かる外力を十分に受けることが可能な位置へ移動している。図２１状態（７）の図を図１９に示す。図１９（ａ）は正面図、図１９（ｂ）は背面図である。
【００９０】
以上説明したシーケンスによって、カメラの電源がＯＮされた時に、バリアユニット５を駆動し、レンズ鏡筒ユニット８を駆動し、さらにレンズ鏡筒受け部材１０１を駆動して撮影待機状態とすることができる。
【００９１】
本発明においては説明したように、レンズ鏡筒受け部材不感帯部１１１を設けることによって、バリアユニット５とレンズ鏡筒ユニット８の駆動をスムーズに切り替えることができる。
【００９２】
次にカメラの電源ＯＦＦの動作について、図２１、図２２及び図２４のフローチャートに従って説明する。各ユニットの駆動においてカメラの電源ＯＦＦ動作は電源ＯＮとは逆方向に駆動されるため、特記なき場合の方向は電源ＯＮとは逆方向を指す。
Ｓ２０：カメラの電源ＳＷ１が押されて電源がＯＦＦされたかどうかを判断する。電源がＯＦＦされれば＃２１へと進む。
Ｓ２１：カメラの電源がＯＮされている時には、レンズ鏡筒受け部材１０１とレンズ鏡筒筒部材８７が外力を受けるために係合している（図９（ｄ）及び図１９）。カメラの電源ＯＦＦの最初の動作はレンズ鏡筒受け部材１０１とレンズ鏡筒筒部材８７の係合をはずすことである。このため、レンズ鏡筒受け部材１０１を駆動するように駆動ユニットモーター１０３に通電をする。カメラの電源ＯＦＦの駆動開始は図２１状態（７）であるため、連結ギア１０７のギア部１０７ｃとレンズ鏡筒受け部材１０１のギア連結部１０１ｂの係合を外すように連結ギア１０７を時計回りに回転させる。レンズ鏡筒受け部材１０１は駆動ユニット引張りばね１０４にて片寄せされているため、連結ギア１０７回転に従って駆動される。
Ｓ２２：駆動ユニット検出素子１０８ａの信号が図２１状態（６）へ切り替わったかを判定する。Ｙｅｓであれば＃２３へ、Ｎｏであれば＃２１へ進む。
Ｓ２３：レンズ鏡筒受け部材１０１を駆動する。レンズ鏡筒受け部材１０１がレンズ鏡筒筒部材８７の駆動位置から退避完了する位置は図１８に示される。これば図２１状態（５）である。つまり、図２１状態（５）の位置までレンズ鏡筒受け部材１０１を駆動することによって、レンズ鏡筒ユニット８は沈胴することが可能となる。
Ｓ２４：駆動ユニット検出素子１０８ｂが図２１状態（４）を検出したかを判定する。Ｙｅｓであれば＃２５へ、Ｎｏであれば＃２３へ進む。
Ｓ２５：＃２４にて図２１状態（４）へ信号が切り替わった時に、中央演算素子１１０は駆動ユニットモーター１０３への通電を停止し、レンズ鏡筒受け部材１０１の駆動を停止させる。この時の機構図は電源ＯＮ時と同様に図１５（ａ）及び図１５（ｂ）に示される。
【００９３】
図１５（ｂ）に明確なように連結ギア１０７のギア部１０７ｂとバリア駆動ギア５３のギア部５３ｃは隙間を持っている。カメラの電源ＯＮと同様に連結ギア１０７はバリアユニット５とレンズ鏡筒受け部材１０１の両方に係合していない。また、バリア駆動ギア５３はバリアトグルばね５４のばね力によって回転を停止している。
【００９４】
カメラの電源ＯＮ時と同様に、＃２４にて駆動ユニットモーター１０３の通電をＯＦＦするが、電源ＯＦＦ時も電源ＯＮ時と同様にモーターの慣性やギア列の慣性等でオーバーランしてしまう。
【００９５】
カメラの電源ＯＮ時にはレンズ鏡筒受け部材不感帯部１１１を設けることによって、オーバーランの影響をなくす構成とした。電源ＯＦＦ時にはバリア駆動ギア５３と連結ギア１０７との間にバリア駆動ギア不感帯部１１２を設ける。バリア駆動ギア不感帯部１１２について図１７にバリア駆動ギア５３と連結ギア１０７の拡大図を示す。
【００９６】
図２１状態（４）の信号切り替わり位置から、連結ギア１０７のギア部１０７ｂがバリア駆動ギア５３のギア部５３ｃと噛み合う位置（斜線で囲まれているギア形状位置）に回転するまで、連結ギア１０７はバリア駆動ギア５３を駆動することはない。つまり、図中示される連結部材１０７の回転角度βがバリア駆動ギア５３が回転されない角度であって不感帯部となる。このような構成にすることによって、図２１状態（４）で停止制御開始からオーバーランがあったとしても、バリア駆動ギア５３を駆動することがない。
【００９７】
電源ＯＮ時と同様に、レンズ鏡筒ユニット８の駆動が完了した後にバリアユニット５の駆動が行われなくてはならない。
【００９８】
しかしながら、駆動ユニット１０がレンズ鏡筒受け部材１０１の駆動後にオーバーランしたとしても、バリア駆動ギア不感帯部１１２を設けることによって、バリア駆動ギア５３を回転させることがない。このため、カメラの次の駆動（レンズ鏡筒ユニット１０駆動）に影響を与えない。つまり如何なる条件下であっても、カメラを正常に動作させることが可能となる。
Ｓ２６：レンズ鏡筒受け部材１０１とレンズ鏡筒筒部材８７の係合がはずれているため、レンズ鏡筒ユニット８を沈胴させることが可能となる。よってレンズ鏡筒駆動モーター８４ａをレンズ鏡筒ユニット８が繰り込む方向に駆動する。
Ｓ２７：レンズ鏡筒ユニット８が図２２状態（９）の沈胴準備位置まで繰り込まれたかを判定する。具体的には、レンズ鏡筒位置検出素子８３ａの信号が切り替わったかを判定する。Ｙｅｓであれば＃２８へ、Ｎｏであれば＃２６へ進む。
Ｓ２８：レンズ鏡筒ユニット８が沈胴準備位置まで達したと判定し、レンズ鏡筒駆動モーター８４ａに停止制御する。
Ｓ２９：レンズ鏡筒ユニット８が図２２状態（８）になると沈胴が終了する。続いてバリアユニット５を閉じる方向（レンズ鏡筒ユニット８を覆う方向）へ駆動する。この時、連結ギア１０７の停止位置は図１５に示される位置で前述のバリア駆動ギア不感帯部１１２に停止している。図２１においては、（３）〜（４）の斜線の領域（１１２）に停止している。
【００９９】
その後、連結ギア１０７のギア部１０７ｂとバリア駆動ギア５３のギアぶ５３ｃが噛み合うことによって、バリア駆動ギア５３は回転する。
Ｓ３０：駆動ユニット位置検出素子１０８ａの信号が図２１状態（２）へ切り替わったかを判定する。Ｙｅｓであれば、＃３１へ、Ｎｏであれば＃２９へ進む。
Ｓ３１：駆動ユニット位置検出素子１０８ａの信号が切り替われば、バリアユニット５がレンズ鏡筒を覆った位置であるため、駆動ユニットモーター１０３の通電を停止し、沈胴動作が終了する。沈胴動作が終了すると、バリア駆動ギア５３、レンズ鏡筒受け部材１０１、連結ギア１０６及び連結ギア１０７の関係は図１２に示される。
【０１００】
以上、本発明をカメラの電源ＯＮ・ＯＦＦの動作と共に説明した。本発明の構成によって電源ＯＮ・ＯＦＦ時にレンズ鏡筒受け部材１０１を確実にレンズ鏡筒と係合させることが可能となる。
【０１０１】
図２５（ａ）に説明容易なように、レンズ鏡筒受け部材１０１、駆動ユニット引張りばね１０４、メインシャーシ１２０及びメインシャーシ１２１を図示する。さらに、図２５（ｂ）に駆動ユニット引張りばね１０４を示す。
【０１０２】
駆動ユニット引張りばね１０４はフック部１０４ａがレンズ鏡筒ユニット受け部材１０１に掛かっており、１０４ｂの腕状のフック部がメインシャーシ１２０に付勢されている。よって、レンズ鏡筒受け部材１０１、駆動ユニット引張りばね１０４、メインシャーシａ１２０及びメインシャーシ１２１ｂは電気的に同電位となる。
【０１０３】
さらに、図２６に基板とメインシャーシｂ１２１との関係を示す。図２６において１２２はカメラの基板であり、不図示の電池から電源ケーブル１２２ｃによって、電源を供給されている。
【０１０４】
基板１２２上にはビス止め部１２２ａ及び１２２ｂがあり、ビスはビスとめ部にて電気的なグランドとして接触している。
【０１０５】
メインシャーシｂ１２１は基板１２２とビス止め部１２２ａ及び１２２ｂで結合されている。そのため、メインシャーシｂ１２１は電気的にはグランドになっている。
【０１０６】
前述したように、メインシャーシａ１２０、メインシャーシｂ１２１、駆動ユニット引張りばね１０４・レンズ鏡筒受け部材１０１、レンズ鏡筒筒部材８７及びレンズ鏡筒カバー８５は同電位であるから、最終的にレンズ鏡筒カバーは電気的にグランドになる。
【０１０７】
よって、レンズ鏡筒カバー８５に静電気が印加された場合でも、電気的にグランドになっているため、カメラで誤動作が起きることは無い。
【０１０８】
また、本発明では駆動ユニット引張りばね１０４にてシャーシ１２０とレンズ鏡筒受け部材１０１を電気的に接続している。つまり、駆動ユニット１０を構成する部材で接続をしているため、電気的接続をとるための部品を必要としない。よって、特別な制御や機構を必要としない安価な構成とすることができ、コストダウンやスペース効率の向上に寄与することができる。また、駆動ユニット引張りばね１０４は複雑な構造ではないため、安価な構成が可能となる。
【図面の簡単な説明】
【０１０９】
【図１】（ａ）カメラ全体図（電源ＯＦＦ時）、（ｂ）カメラ全体図（電源ＯＮ時）
【図２】（ａ）バリアユニット５及びレンズ鏡筒ユニット８斜視図、（ｂ）バリアユニット５及びレンズ鏡筒ユニット８分解斜視図
【図３】バリアユニット５展開斜視図
【図４】（ａ）バリアユニット５：駆動説明正面図、（ｂ）バリアユニット５：駆動説明背面図
【図５】（ａ）バリアユニット５：駆動説明図１、（ｂ）バリアユニット５：駆動説明背面図
【図６】（ａ）レンズ鏡筒ユニット８：全体説明図１、（ｂ）レンズ鏡筒ユニット８：全体説明図２
【図７】（ａ）レンズ鏡筒ユニット８：駆動説明図（電源ＯＦＦ）、（ｂ）レンズ鏡筒ユニット８：駆動説明図（電源ＯＮ）
【図８】（ａ）駆動ユニット１０：全体図、（ｂ）駆動ユニット１０：展開斜視図、（ｃ）連結ギア１０６と駆動ユニット検出素子１０８ａ及びｂの関係図
【図９】（ａ）レンズ鏡筒筒部材８７とレンズ鏡筒受け部材１０１（電源ＯＦＦ）：正面図、（ｂ）レンズ鏡筒筒部材８７とレンズ鏡筒受け部材１０１（電源ＯＦＦ）：側面図、（ｃ）レンズ鏡筒筒部材８７とレンズ鏡筒受け部材１０１（電源ＯＮ）：正面図、（ｄ）レンズ鏡筒筒部材８７とレンズ鏡筒受け部材１０１（電源ＯＮ）：側面図
【図１０】駆動ユニット１０駆動説明図
【図１１】駆動ユニット１０駆動説明拡大図
【図１２】（ａ）組み立て状態での説明図：正面図（電源ＯＦＦ）、（ｂ）組み立て状態での説明図：背面図（電源ＯＦＦ）
【図１３】（ａ）機構図：正面図（図２１状態（２））、（ｂ）機構図：背面図（図２１状態（２））
【図１４】（ａ）機構図：正面図（図２１状態（３））、（ｂ）機構図：背面図（図２１状態（３））
【図１５】（ａ）機構図：正面図（図２１状態（４））、（ｂ）機構図：背面図（図２１状態（４））
【図１６】連結ギア１０７・レンズ鏡筒受け部材１０１拡大図（図２１状態（４））
【図１７】連結ギア１０７・バリア駆動ギア５３拡大図（図２１状態（４））
【図１８】（ａ）機構図：正面図（図２１状態（５））、（ｂ）機構図：背面図（図２１状態（５））
【図１９】（ａ）機構図：正面図（図２１状態（７））、（ｂ）機構図：背面図（図２１状態（７））
【図２０】本発明に関するブロック図
【図２１】駆動ユニット検出素子１０８ａ及び１０８ｂの信号出力の関係図
【図２２】レンズ鏡筒位置検出素子８３ａ及び８３ｂの信号出力の関係図
【図２３】本発明に関するフローチャート（電源ＯＮ）
【図２４】本発明に関するフローチャート（電源ＯＦＦ）
【図２５】（ａ）駆動ユニットばね１０４説明図（組み立て状態）、（ｂ）駆動ユニットばね１０４説明図
【図２６】基板説明図（組み立て状態）
【符号の説明】
【０１１０】
１  電源ボタン
２  カメラ外装
３  液晶表示装置
４  ヒンジ機構
５  バリアユニット
６  ストロボ装置
７  レリーズボタン
８  レンズ鏡筒ユニット
１０  駆動ユニット
５１  バリア部材
５１ａ  カメラ外装２との勘合部
５１ｂ  バリア駆動レバー５７と係合する駆動ピン部
５２  保持部材
５２ａ  バリアトグルばね５４の保持部
５２ｂ  バリア駆動ギア５３、バリア駆動レバー５５の回転中心
５２ｃ  バリア部材５１の停止部
５３  バリア駆動ギア
５３ａ  バリア駆動レバー５５を駆動する駆動ピン部
５３ｂ  バリアトグルばね５４の一端を保持する保持部
５３ｃ  駆動ユニットと連結するギア部
５４  バリアトグルばね
５４ａ  バリア駆動ギアとの保持部
５４ｂ  保持部材５２との保持部
５５  バリア駆動レバー
５５ａ  バリア部材の駆動ピンとの当接部
５５ｂ  バリア駆動ギア５３との当接部
５６  バリア付勢ばね
５７  カバー部材
８１  前側レンズ鏡筒保持部材
８２  後側レンズ鏡筒保持部材
８３  レンズ鏡筒位置検出素子
８３ａ  レンズ鏡筒位置検出素子（前側）
８３ｂ  レンズ鏡筒位置検出素子（後側）
８４ａ  レンズ鏡筒駆動モーター
８４ｂ  遊星減速ギア列
８５  レンズ鏡筒カバー
８６  撮影レンズ
８７  レンズ鏡筒筒部材
８７ａ  ガイドバー９０ａと勘合する位置決め穴
８７ｂ  ガイドバー９０ｂと勘合する振れ止め形状
８７ｃ  位置検出素子の遮光部
８７ｄ  レンズ鏡筒カバー８５のバヨネット機構
８８  繰り出しねじ
８９  繰り出しナット
９０ａ  ガイド軸ａ
９０ｂ  ガイド軸ｂ
１０１  レンズ鏡筒受け部材
１０１ａ  外力受け部（レンズ鏡筒筒部材との係合面）
１０１ｂ  ギア連結部（連結ギア１０７ｃと噛み合う）
１０２  駆動ユニット保持部材
１０２ａ  レンズ鏡筒受け部材の回転規制ピン
１０３  駆動ユニットモーター
１０４  駆動ユニット引張りばね
１０４ａ  フック部
１０４ｂ  フック部
１０５  遊星減速ギア列
１０５ａ  遊星減速ギア列最終ギア
１０６  連結ギア
１０６ａ  連結ギアのギア部
１０６ｂ  連結ギアのギア部
１０６ｃ  連結ギアの反射板
１０７  連結ギア
１０７ａ  連結ギアのギア部
１０７ｂ  連結ギアのギア部
１０７ｃ  連結ギアのギア部
１０８ａ  駆動ユニット検出素子（フォトリフレクター）
１０７ｂ  駆動ユニット検出素子（フォトリフレクター）
１０９  駆動ユニットカバー
１１０  中央演算素子
１１１  レンズ鏡筒受け部材不感帯部
１１２  バリア駆動ギア不感帯部
１２０  メインシャーシａ
１２１  メインシャーシｂ
１２２  基板
１２２ａ  ビス止め部
１２２ｂ  ビス止め部
１２２ｃ  電源ケーブル
【図１】
2008197154.tif 000003
【図２】
2008197154.tif 000004
【図３】
2008197154.tif 000005
【図４】
2008197154.tif 000006
【図５】
2008197154.tif 000007
【図６】
2008197154.tif 000008
【図７】
2008197154.tif 000009
【図８】
2008197154.tif 000010
【図９】
2008197154.tif 000011
【図１０】
2008197154.tif 000012
【図１１】
2008197154.tif 000013
【図１２】
2008197154.tif 000014
【図１３】
2008197154.tif 000015
【図１４】
2008197154.tif 000016
【図１５】
2008197154.tif 000017
【図１６】
2008197154.tif 000018
【図１７】
2008197154.tif 000019
【図１８】
2008197154.tif 000020
【図１９】
2008197154.tif 000021
【図２０】
2008197154.tif 000022
【図２１】
2008197154.tif 000023
【図２２】
2008197154.tif 000024
【図２３】
2008197154.tif 000025
【図２４】
2008197154.tif 000026
【図２５】
2008197154.tif 000027
【図２６】
2008197154.tif 000028